(57)【要約】【課題】メモリ容量の比較的小さな複合機にあっても、メモリフルの発生を回避するとともに、その回避に伴う印刷動作に対してユーザにかかる手間を軽減する。【解決手段】他の装置と通信をする通信手段と、画像を読み取り、画像データとして入力する読取手段と、前記読取手段により入力された画像データを記憶する第１記憶手段と、前記第１記憶手段により記憶された画像データを印刷する印刷手段と、前記印刷手段による印刷前に前記第１記憶手段の記憶容量を超えて前記読取手段により画像データが入力された場合に、それまでに前記第１記憶手段により記憶された蓄積画像データとその後に前記読取手段により入力される読取画像データとを転送可能な転送画像データに変換する制御手段と、を有し、前記記憶容量超過の場合に、前記制御手段により作成された前記転送画像データを前記通信手段により情報処理装置に転送する。【選択図】図６
2010171720.tif 000002
【特許請求の範囲】
【請求項１】
他の装置と通信をする通信手段と、
画像を読み取り、画像データとして入力する読取手段と、
前記読取手段により入力された画像データを記憶する第１記憶手段と、
前記第１記憶手段により記憶された画像データを印刷する印刷手段と、
前記印刷手段による印刷前に前記第１記憶手段の記憶容量を超えて前記読取手段により画像データが入力された場合に、それまでに前記第１記憶手段により記憶された蓄積画像データとその後に前記読取手段により入力される読取画像データとを転送可能な転送画像データに変換する制御手段と、を有し、
前記記憶容量超過の場合に、前記制御手段により作成された前記転送画像データを前記通信手段により情報処理装置に転送することを特徴とする画像形成装置。
【請求項２】
前記記憶容量超過の場合に、前記転送画像データとともに、コピー設定パラメータを記載したコピー設定ファイルを前記通信手段により前記情報処理装置にｆｔｐ転送し、
前記印刷手段は、前記情報処理装置からの前記コピー設定パラメータに基づく前記転送画像データの印刷要求に応じて印刷を行うことを特徴とする請求項１に記載の画像形成装置。
【請求項３】
ユーザからの操作内容の入力を受けるとともに、前記操作内容や装置状態を表示する操作入力手段を有し、
前記操作入力手段により前記コピー設定パラメータの変更が可能であることを特徴とする請求項２に記載の画像形成装置。
【請求項４】
ユーザからの操作内容の入力を受けるとともに、前記操作内容や装置状態を表示する操作入力手段を有し、
前記操作入力手段により、前記転送画像データと前記コピー設定ファイルを前記通信手段によりｆｔｐ転送する前記情報処理装置の選択が可能であることを特徴とする請求項２に記載の画像形成装置。
【請求項５】
前記操作入力手段により、前記転送画像データと前記コピー設定ファイルを前記通信手段によりｆｔｐ転送する前記情報処理装置の選択が可能であること、
前記印刷手段による印刷終了後に、前記転送画像データを前記情報処理装置上のデータ格納領域に保存することを特徴とする請求項３に記載の画像形成装置。
【請求項６】
使用者情報を記憶する第２記憶手段を有し、
前記操作入力手段により前記使用者情報の選択され、
前記使用者情報により、
前記操作入力手段により前記コピー設定パラメータの変更と、
前記蓄積画像データと前記読取画像データと前記コピー設定ファイルをｆｔｐ転送する前記情報処理装置の選択と、
前記情報処理装置上の前記データ格納領域の選択と、が可能であることを特徴とする請求項５に記載の画像形成装置。
【請求項７】
ＩＣカードに保持された個人情報を読み取るＩＣカード読取手段を有し、
前記ＩＣカード読取手段によりＩＣカードから読み取られた個人情報と前記操作入力手段とのいずれか一方により前記使用者情報が選択されることを特徴とする請求項６に記載の画像形成装置。
【請求項８】
前記使用者情報により、
前記印刷手段による印刷終了後に前記転送画像データを前記情報処理装置装置上の前記データ格納領域に保存するのかどうかの選択と、
前記転送画像データを保存する場合には、前記転送画像データを保存する前記情報処理装置上の前記データ格納領域の選択と、
が可能であることを特徴とする請求項７に記載の画像形成装置。
【請求項９】
画像形成装置を、
他の装置と通信をする通信手段と、
画像を読み取り、画像データとして入力する読取手段と、
前記読取手段により入力された画像データを記憶する記憶手段と、
前記記憶手段により記憶された画像データを印刷する印刷手段と、
前記印刷手段による印刷前に前記記憶手段の記憶容量を超えて前記読取手段により画像データが入力された場合に、それまでに前記記憶手段により記憶された蓄積画像データとその後に前記読取手段により入力される読取画像データとを転送可能な転送画像データに変換する制御手段として機能させ、
前記記憶容量超過の場合に、前記転送画像データとともに、コピー設定パラメータを記載したコピー設定ファイルを前記通信手段により情報処理装置に転送し、
前記印刷手段は、前記情報処理装置からの前記コピー設定パラメータに基づく前記転送画像データの印刷要求に応じて印刷をすることを特徴とするプログラム。
【発明の詳細な説明】
【技術分野】
【０００１】
本発明は、読取手段により読み取った画像データを印刷手段により印刷する画像形成装置に関し、特に、この画像形成装置、または、読取装置、または、これらの装置を動かすソフトウエア制御において、メモリがオーバーフローした場合に適切なリカバリ処理を可能にする技術、プログラムに関する。
【背景技術】
【０００２】
一般に、画像形成装置は、スキャナ等から読み取った印刷データをメモリに蓄積し、蓄積したデータを順次印刷する。印刷が終了した印刷データはメモリ上から破棄され、新たな印刷データがメモリ上に蓄積される。この画像形成装置上のメモリには上限があり、当然上限を超えた場合（メモリフル）は印刷ができない。
【０００３】
以下に、メモリフルの発生しうる印刷方法を列挙する。
（１）逆順印刷
スキャナで読み取った順番と逆順に印刷を行う。
読取順：１→２→３
印刷順：３→２→１
（２）電子ソート
スキャナで読み取ったものを部数単位で出力する。
読取順：１→２→３
印刷順：１→２→３→１→２→３→・・・
【０００４】
例えば、（２）に示すソートコピー等の、全データをメモリに蓄積して丁合コピーする際のメモリフル発生時の処理としては、発生段階で中断する方法が既に知られている。また、特許文献１では、メモリフル発生を回避する方法として、画像形成装置側に全ページ分の描画データを蓄積するだけのメモリ容量がない場合に、メモリに蓄積出来るページまでを丁合して印刷を行い、その後、残りのデータをメモリに蓄積して再度丁合コピーを行うようにする、つまり、画像形成装置側で蓄積可能な容量毎に分割して描画データを印刷する技術が開示されている。
【発明の概要】
【発明が解決しようとする課題】
【０００５】
しかしながら、今までの方法では、メモリフルの発生段階に中断した場合には印刷がまったく行われないため、ユーザは所望の印刷物を得ることができず、印刷を再度行う手間が発生していた。また、この印刷を再開する場合に、同様の手順では当然メモリフルが再度発生するため、ユーザがまずコピー原稿をメモリ蓄積可能な枚数に分割しなくてはならないという手間も発生していた。
【０００６】
この、問題を回避する方法として、特許文献１で開示されたような、印刷制御装置側で蓄積可能な容量毎に分割して描画データを印刷する方法があるが、この方法では、最終的には、分割されて印刷された結果をユーザが再度丁合する必要が有るため、ユーザの利便性の向上に繋がらないという別の問題が残る。
【０００７】
そこで本発明は、上記問題点に鑑みてなされたもので、メモリ容量の比較的小さな複合機にあっても、メモリフルの発生を回避するとともに、その回避に伴う印刷動作に対してユーザにかかる手間を軽減することを目的とする。
【課題を解決するための手段】
【０００８】
上記課題を解決するため、本発明における画像形成装置は、他の装置と通信をする通信手段と、画像を読み取り、画像データとして入力する読取手段と、前記読取手段により入力された画像データを記憶する第１記憶手段と、前記第１記憶手段により記憶された画像データを印刷する印刷手段と、前記印刷手段による印刷前に前記第１記憶手段の記憶容量を超えて前記読取手段により画像データが入力された場合に、それまでに前記第１記憶手段により記憶された蓄積画像データとその後に前記読取手段により入力される読取画像データとを転送可能な転送画像データに変換する制御手段と、を有し、前記記憶容量超過の場合に、前記制御手段により作成された前記転送画像データを前記通信手段により情報処理装置に転送することを特徴とする。
【０００９】
また、本発明におけるプログラムは、画像形成装置を、他の装置と通信をする通信手段と、画像を読み取り、画像データとして入力する読取手段と、前記読取手段により入力された画像データを記憶する記憶手段と、前記記憶手段により記憶された画像データを印刷する印刷手段と、前記印刷手段による印刷前に前記記憶手段の記憶容量を超えて前記読取手段により画像データが入力された場合に、それまでに前記記憶手段により記憶された蓄積画像データとその後に前記読取手段により入力される読取画像データとを転送可能な転送画像データに変換する制御手段として機能させ、前記記憶容量超過の場合に、前記転送画像データとともに、コピー設定パラメータを記載したコピー設定ファイルを前記通信手段により情報処理装置に転送し、前記印刷手段は、前記情報処理装置からの前記コピー設定パラメータに基づく前記転送画像データの印刷要求に応じて印刷をすることを特徴とする。
【発明の効果】
【００１０】
本発明により、メモリ容量の比較的小さな複合機にあっても、メモリフルの発生を回避するとともに、その回避に伴う印刷動作に対してユーザにかかる手間を軽減することが可能になる。
【図面の簡単な説明】
【００１１】
【図１】本発明の実施形態に係る画像形成装置をネットワークシステムの構成図である。
【図２】本発明の実施形態に係る画像形成装置の概略構成図である。
【図３】本発明の実施形態に係る画像形成装置のソフトウエア構成図である。
【図４】一般のコピー動作の概要を説明するための図である。
【図５】メモリフル発生時の問題点を説明するための図である。
【図６】本発明の実施形態におけるメモリフル発生時の動作処理の概要を説明するための図である。
【図７】本発明の実施形態におけるメモリフル判定処理を示したフローチャート図である。
【図８】本発明の実施形態における蓄積画像データのｆｔｐ転送処理を示したフローチャート図である。
【図９】本発明の実施形態におけるメモリフル発生時の動作処理の概要を説明するための図である。
【図１０】本発明の実施形態における転送画像データの自動印刷処理を示したフローチャート図である。
【図１１】本発明の実施形態におけるコピーパラメータ変更可能な自動印刷処理を示したフローチャート図である。
【図１２】本発明の実施形態における転送先変更可能な自動印刷処理を示したフローチャート図である。
【図１３】本発明の実施形態におけるコピーパラメータと転送先が変更可能な自動印刷処理を示したフローチャート図である。
【発明を実施するための形態】
【００１２】
次に、発明を実施するための形態について図面を参照して詳細に説明する。
【００１３】
＜ネットワークシステムの構成＞
図１は、画像形成装置を含むオフィスフロアでのネットワークシステム１０の実施形態を示す。図１に示すネットワークシステム１０は、画像形成装置１２と、情報処理装置１４と、サーバ２６などがイーサネット（登録商標）等のローカルエリアネットワーク（ＬＡＮ：Local Area Network）２８により相互接続されている。ＬＡＮ２８は、ハブ１６により画像形成装置１２、サーバ２６、情報処理装置１４等を物理接続していて、媒体アクセス制御（ＭＡＣ：Media Access Control）アドレスおよびＩＰアドレスを使用した相互通信を行っている。
【００１４】
ハブ１６は、さらにルータ１８に接続され、ルータ１８は、画像形成装置１２および情報処理装置１４、サーバ２６をインターネット、ワイドエリアネットワーク（ＷＡＮ：Wide Area Network）などの広域ネットワーク２０に接続している。広域ネットワーク２０には、ＰＯＰ（Post Office Protocol）サーバ２２が接続されていて、画像形成装置１２、情報処理装置１４、及びサーバ２６との間でＳＭＴP（Simple Mail Transfer Protocol）プロトコルを使用した電子メールの伝送を可能としている。なお、広域ネットワーク２０には、図１に示す以外にも、ウェブサーバなどが接続されていても良い。また、ＰＯＰサーバ２２は、ＩＳＰ（Internet Service Provider）等が提供するメールサーバであっても良く、また、社内に設置された専用メールサーバとして実装することもできる。
【００１５】
画像形成装置１２は、ファクシミリ、コピー、プリンタ、ＡＲＤＦ(Auto Reverse Document Feeder)などの複合的な機能を提供しており、ユーザからの直接指令または情報処理装置１４などのジョブ要求、公衆電話網２４から受信したファクシミリ・データを処理し、画像形成を行う。図２は、画像形成装置１２の実施形態の機能ブロック図である。
【００１６】
画像形成装置１２は、プリンタ、コピー、ファクシミリなどの機能を提供するための各種機能を含んでおり、ドキュメントを読み込んで、光学読み取りを行うためのＡＲＤＦ３０と、ユーザに対して各種設定を可能とする、ＬＣＤパネルを含む操作パネル３４とを含む。ＡＲＤＦ３０は、原稿台上にセットされたドキュメントを、モータ３２を起動してドキュメントの光学読み取りを行うスキャナ３６に送り、照射光学系、駆動モータ、ＣＣＤなどを駆動してドキュメントをデジタルデータに変換する。
【００１７】
＜画像形成装置の構成＞
画像形成装置１２は、ＭＦＰコントローラ３８、画像形成を担当するプリンタエンジン５２を備えている。ＭＦＰコントローラ３８は、ＵＮＩＸ（登録商標）、ＬＩＮＵＸ（登録商標）、Ｗｉｎｄｏｗｓ（登録商標）２００Ｘサーバ等のオペレーティングシステム（以下、ＯＳという）を動作するＣＰＵ（図示せず）を含んでいる。さらに、ＭＦＰコントローラ３８は、上述したＯＳの下で、Ｃ、Ｃ＋＋、ＪＡＶＡ（登録商標）、Ｐｅｒｌ等のプログラミング言語で記述されたアプリケーションプログラムやＡｐａｃｈｅ、サーブレット等のサーバプログラムを実行し、ウェブサーバの一部機能も提供する。
【００１８】
さらに、ＭＦＰコントローラ３８は、ストレージ管理部４０と、通信処理部４２と、イメージ変換部４４を備えている。ストレージ管理部４０は、ＳＤＲＡＭ（Synchronous DRM）５６の入出力管理を実行する。ＳＤＲＡＭ５６のほかに、ハードディスク等の記憶装置でも良い。また、通信処理部４２は、５６Ｋｂｐｓまたは１２６Ｋｂｐｓ程度の通信レートのファックスモデム５８から受信したＩＴＵ−Ｔ勧告Ｔ．６等のプロトコルでデータを、ランレングス符号化、ＭＲ（Modified Read）、ＭＭＲ（Modified MR）などの符号化方法を使用して復号化し、また画像形成装置１２からのファクシミリ送信のためにデジタルデータをコードする。また、通信処理部４２は、ＩＰプロトコルスイート及びＴＣＰ／ＩＰ（Transmission Control Protocol/Internet Protocol）またはＵＤＰ／ＩＰ（User Datagram Protocol/Internet Protocol）を使用するデータ伝送も管理する。
【００１９】
通信処理部４２は、ＭＦＰコントローラ３８が含むアプリケーションプログラムからのデータ伝送要求を受付け、ＩＰパケットまたはフレームを作成し、ネットワークインタフェースカード（ＮＩＣ（Network Internet Card））６０からイーサネット（登録商標）またはワイヤレスＬＡＮへとデータを伝送し、また入来データをアプリケーションプログラムへと伝送する。なお、通信処理部４２は、上述した処理を実行するため、ＰＰＰ(Point to Point Protocol)およびＰＰＰｏＥ(PPP on Ethernet（登録商標）)等のデータ接続プロトコルをサポートする。
【００２０】
イメージ変換部４４は、画像処理装置１２が取得したデータを、ＧＩＦ（Graphic Interchange Format）、ＢＭＰ（Bit MAP）、ＪＰＥＧ（Joint Photographic Expert Group）、ＪＰＥＧ２０００、ＴＩＦＦ（Tagged Image File Format）、ＰＮＧ（Portable Network Graphic）等のイメージデータに変換し、変換されたイメージデータを使用してＰＤＬ(Page Description Language)を作成し、作成したＰＤＬをプリンタエンジン５２に渡し、画像形成する。その他、ＭＦＰコントローラ３８は、フラッシュＲＯＭ（Read Only Memory）５０などを実装し、画像形成装置１２の起動時のセットアップデータや画像形成に使用する色変換データ等を管理している。ＵＳＢ（Universal Serial Bus）制御部４８を含んでいて、ＵＳＢコネクタ６２を介してＵＳＢホスト（図示せず）やプリンタエンジン５２との間のバス接続を管理する。なお、ＵＳＢ制御部４８は、ＩＥＥＥ８０２．１５などにより規定されるＵＷＢプロトコルをサポートしていても良い。画像形成装置１２は、ＰＳＵ（Power Supply Unit）５４を実装していて、ＰＳＵ５４は、画像形成装置１２の電源管理を行っている。
【００２１】
プリンタエンジン５２は、電子写真法またはインクジェット法を使用した画像形成を行っており、各画像形成方法により画像を形成するため、感光体、半導体レーザ、現像器、転写装置、定着装置あるいはインク容器、インクジェット・ノズル等を含んで構成されている。また、プリンタエンジン５２は、ＰＪＬ(Printer Job Language)をサポートしていて、外部からのプリント要求に対応した印刷を実行することができる。
【００２２】
ＳＤＲＡＭなどの記憶装置５６は、複数のデータセットを管理する。記憶装置５６が管理する本実施形態にかかわるデータセットは、送信元登録データ（ＳＵＣ＿ＡＤＤＲ：Source_Address）６４、通知先登録データ（ＡＣＫ＿ＡＤＤＲ：Acknowledge_Address）６６、およびＭＩＢ(Management Information Base)６８である。
【００２３】
送信元登録データ６４は、ユーザがあらかじめ設定し、受信したファクシミリデータの通知を受けるか否かを指定するデータである。送信元登録データ６４は、ファクシミリ番号のフォーマットで登録する。また、通知先登録データ６６は、当該ユーザの通知先アドレスを登録する。通知先登録データ６６は、種々のフォーマットで登録することができ、例えば、メーラ４６を使用して電子メールとして通知メッセージを送信するための電子メールアドレス、ＭＡＣアドレス、ＩＰアドレス（プライベート・アドレス／サブネット・マスクで規定されるローカル・ドメイン）、または端末名称を使用することができる。ＭＡＣアドレス、ＩＰアドレスを通知先登録データ６６として使用する場合、端末名称またはユーザ識別値と、ＭＡＣアドレスまたはＩＰアドレスとの対応テーブルを実装することが、ユーザ入力の手間を省くためには好ましい。また、ネットワーク基盤がＴＣＰ／ＩＰではなく、ＮＥＴＢＩＯＳ（Network Basic Input-Output System）を使用している場合には、端末名称を使用して、端末名称とＩＰアドレスとＭＡＣアドレスなどを対応させて登録したルックアップテーブル等を通知先登録データ６６とすることができる。
【００２４】
ＭＩＢ６８は、ＲＦＣ（Request for Comment）１１５６として規定されている第１ＭＩＢあるいはＲＦＣ１２１３で規定されている第２ＭＩＢを使用して構成される、ネットワーク管理情報を登録するデータセットであり、管理するべき画像形成装置の状態を、オブジェクト識別値（ＯＩＤ：Object Identifier）およびそのステータス・データとして対応づけて管理する。
【００２５】
なお、情報処理装置１４及びサーバ２６は、パーソナルコンピュータ、ワークステーション、ブレードサーバやシンサーバ等、サーバ専用の情報処理装置である。情報処理装置１４は、アプリケーションソフトによる処理結果を、プリンタドライバを介して画像形成装置１２に伝送し、画像形成装置１２に対して処理結果を出力させている。また、サーバ２６がプリンタサーバとして提供されている場合には、サーバ２６は、情報処理装置１４からのプリント要求を受付け、適切な画像形成装置１２にプリントジョブを指令している。
【００２６】
図３は、本実施形態の画像形成装置１２のＭＦＰコントローラ３８についてのソフトウエア構成図を示す。ポータルソフトウエア３８１、ドキュメントマネージ３８２、スキャン３８３、ファックス３８４、プリント３８５、ＳＭＵ（System Management Unit）３９０は、マルチファンクション画像形成装置に必要な各種アプリケーションである。
【００２７】
ポータルソフトウエア３８１は、各機能のアプリケーションソフトの設定、削除を行う。ＴＷＡＩＮドライバ３８６は、スキャン３８３から入力した画像データをＰＣ上で使用が可能な形式に変換する。ＰＣ−ＦＡＸドライバ３８７はファックス３８４から入出力された画像データをＰＣ上で使用が可能な形式に変換する。ＲＰＣＳドライバ３８８は、画像データをプリンタ出力可能な形式に変換する。ＰＣＬドライバ３８９はＰＣＬ(ページ記述言語)形式の印刷データをプリンタ出力可能な形式に変換する。ＳＭＵ３９０はＡＩＯ機器情報を管理し、各ドライバのデータサイズや図1のＲＡＭ／ＲＯＭ容量情報等の機器情報も記憶する。ＭＩＢ３９１は、機器情報データベースを意味する。ＬＳＤ３９２は、ＰＣ上からＵＳＢ等を経由して機器設定の登録・変更を行うアプリケーションである。
【００２８】
＜コピー操作の概要＞
コピー機能の動作例を示す。原稿を、フラットベット、または、ＡＲＤＦユニットにセットする。ＡＲＤＦユニットは、原稿反転機構（図なし）を備えているため、原稿を反転して原稿の裏面を読み取ることが可能で、両面原稿の自動読み取りに対応している。オペレーションパネル上から、記録紙サイズ、記録紙タイプ、給紙トレイ、原稿タイプ（写真、文字）、読み取り解像度、濃度、拡大／縮小、両面原稿／両面印刷、集約、ソート等の機能設定を選択して、スタートキーを押下する。オペレーションパネル上から設定されたパラメータは、ＭＦＰコントローラ（図２の３８）で設定条件の演算処理が行われて、原稿読み取り条件としてスキャナユニット（図２の３６）に送られる。
【００２９】
スキャナユニットでは、送られた読み取り条件にしたがって、ＣＣＤセンサ駆動モータ、またはＡＲＤＦの原稿搬送モータの駆動を行い、ＣＣＤセンサによって、原稿から上記コピー設定に従った画像データの読込みが行われる。読み取られた画像データは、スキャンユニットからＭＦＰコントローラに送られ、上記オペレーションパネルで設定されたコピー設定に従った画像加工が行われる。
【００３０】
例として以下のコピーモードがある。
（１）通常コピー
原稿１ページの画像データを設定されたコピーパラメータでスキャンを行い、画像の特殊加工は行わないで、印字対象の記録紙サイズのセンター基準でレイアウトする。
（２）集約コピー
２ページ分の画像データを設定されたコピーパラメータでスキャンをし、印刷対象の記録紙１ページに印字できるように画像を縮小・回転を行って１ページ内にレイアウトする。
（３）ポスターコピー（フラットベットのみの機能）
一度原稿のプレスキャンを行って画像サイズを検知する。検知した画像を４つのエリア分割して、エリアごとに設定されたコピーパラメータでスキャンを行い、各スキャン画像を印字対象の記録紙サイズ全面に拡大してレイアウトする。
（４）リピートコピー（フラットベットのみの機能）
一度原稿のプレスキャンを行って画像サイズを検知する。検知した画像が印字対象の記録紙サイズに縦横に並べて幾つ入るか算出して、検知したエリアの画像を設定されたコピーパラメータでスキャンを行い、印字対象の記録紙サイズに繰り返し並べてレイアウトする。
（５）自動変倍（フラットベットのみの機能）
一度原稿のプレスキャンを行って画像サイズを検知する。検知したエリアの画像を設定されたコピーパラメータでスキャンを行い、画像が印字対象の記録紙サイズにちょうど納まるように画像サイズを拡大／縮小を行い、印字対象の記録紙サイズにレイアウトする。
（６）ミラーコピー
原稿１ページの画データを設定されたコピーパラメータでスキャンを行い、スキャンした画像を反転（鏡像）して、印字対象の記録紙サイズのセンター基準でレイアウトする。
【００３１】
上述したコピーモードでＭＦＰコントローラによりレイアウトされ、１ページ単位の画像データに作成された画像は、ＴＩＦＦフォーマット形式のデータとしてプリンタエンジンユニットへ、ＵＳＢ２．０の規格に則ったＵＳＢ通信を介して送られ、印字用の画像メモリに蓄積される。
画像メモリに蓄積された画像データは、順次プリンタエンジンユニットの印字ヘッド１スキャン分の印字用データに変換が行われ、印字ヘッドからインクを吐出して記録紙に印刷される（インクジェット記憶方式の場合）。
【００３２】
次に、上述のようにして、ページ単位に読み込んだ画像データを蓄積しておき、これを便宜出力して印刷を行う基本動作について具体的に説明する。まず、本発明の特徴点をわかりやすくするために、従来の画像形成装置が備えていた基本的印刷機能について、逆順印刷及びソート印刷を挙げて説明する。図４（ａ）に１〜４ページの画像読み込み例、図４（ｂ）に逆順印刷例、図４（ｃ）に２部のソート印刷例をそれぞれ示す。
（逆順印刷）
読み込んだページの順番と、逆の順番で印刷を行う。
（ソート印刷）
読み込んだ画像を、部数単位で印刷する。
【００３３】
上記従来の画像形成装置において行われていた基本動作の問題点について、図５を参照して説明する。まず、図５（ａ）に示すように、第１ページ目から読み込みを行い、第３ページ目に画像形成装置の記憶容量不足（メモリフル）が発生し、全ての画像データを保存しきれない状態となったと仮定する。すると、図５（ｂ）に示すように、印刷対象の全データをメモリ上に保存できない場合はコピー自体がキャンセルされ、何も出力できない状態となる。図５（ｃ）のソート印刷においても全ページの印刷が不可能となる。
【００３４】
＜第１の実施例＞
このような問題に対応するため、本発明では、第１の実施例として、メモリフルが発生した段階で、メモリ蓄積画像データをスキャナ読込データとして処理し、画像処理装置のスキャンｔｏｆｔｐ機能を用いて、サーバへｆｔｐ送信するようにしている。
【００３５】
具体的には図６に示すように、第１ページ目から読み込みを行って第３ページ目にメモリフルが発生した場合、まず第３ページ目からのコピー処理を一旦中断してスキャナ処理に切り替える。次に、第２ページ目までの蓄積画像をｆｔｐ送信可能なファイル形式（例えばＪＰＥＧ等）に圧縮、変換する。次に、第３ページ目以降の画像データを読み込んで、変換済みの画像ファイル（第２ページ目までの蓄積画像）の継続データとして圧縮、蓄積する。そして、ファイル形式を変換した画像データを蓄積した後、スキャンｔｏｆｔｐ機能を用いて、あらかじめアドレスが指定してあるサーバに該画像データを送信する。なお、スキャンｔｏｆｔｐ機能は、スキャナ機能とＮＩＣが搭載されている画像形成装置では一般的な機能である。
【００３６】
図７に、メモリフル判定フローの一例を示す。まず、所定の操作パネル上の入力キーから、複写開始命令を受けて、画像の読み取りを開始する（７０１）。スキャナにより読み込まれた画像データを順次メモリに保存するとともに、読み取られた画像データの容量とプリンタ上のメモリ残量とを比較する（７０２）。画像データの容量が多い場合は、メモリフル発生となるため（１）へ進む。逆に、画像データの容量が少ない場合は、メモリフルではないためプリンタに対して画像データの転送を行う（７０３）。プリンタは保存手段に画像データを保存する。読み取り対象がまだ残っている場合は、スキャンを再開する（７０４）。読み取り対象が残っていない場合は、印刷を実行し終了する（７０５）。
【００３７】
次に、上記メモリフルが発生した場合（図７の（１）に進んだ場合）の処理例（上記第１の実施例）について、図８を参照して説明する。メモリフルが発生した後、スキャナによる画像の読取操作を停止する（８０１）。このとき、メモリに残っている画像データは保持したままとする。次いで、操作パネル上のＬＣＤにメモリフルが発生した旨を表示する（８０２）。そして、コピーの設定をスキャナ読取機能に切り替える（８０３）。続いて、メモリに蓄積された画像データを、ｆｔｐ送信可能なファイル形式（ＪＰＥＧ、ＰＤＦ等）に変換する（８０４）。次に、スキャナによる原稿蓄積を再開して、読取データを変換済データの継続データとしてメモリに蓄積する（８０５）。次いで、原稿蓄積終了後、装置内に記録してあるコピーデータ転送用アドレスを検索する（８０６）。そして、コピーデータ転送用アドレスに指定してあるサーバに、蓄積データをｆｔｐ送信する（８０７）。
【００３８】
＜第２の実施例＞
また、本発明では、上記の問題（現状の何も出力できない問題）に対応する第２の実施例として、図９に示すように、メモリフルが発生した段階で、サーバへｆｔｐ転送されてきた画像データを、サーバからプリンタ機能を用いて、逆順あるいはソート印刷を行うようにしている。
【００３９】
メモリフル判定フローは、図７に示すように、上記第１の実施例と同様である。第２の実施例として、メモリフルが発生した場合（図７の（１）に進んだ場合）の処理例について図１０を参照して説明する。メモリフルが発生した後、スキャナによる画像の読取操作を停止する（１００１）。メモリに残っている画像データは保持したままとする。次に、操作パネル上のＬＣＤにメモリフルが発生した旨を表示する（１００２）。続いて、コピーの設定をスキャナ読取機能に切り替える（１００３）。そして、メモリに蓄積された画像データを、ｆｔｐ送信可能なファイル形式（ＪＰＥＧ、ＰＤＦ等）に変換する（１００４）。次に、スキャナによる原稿蓄積を再開して、読取データを変換済データの継続データとしてメモリに蓄積する（１００５）。次いで、原稿蓄積終了後、装置内に記録してあるコピーデータ転送用アドレスを検索する（１００６）。ここまでは、第１の実施例と同様である。
【００４０】
コピーデータ転送用アドレスを検索した後、コピー設定パラメータ（逆順印刷、ソート印刷、部数、解像度）をＴＥＸＴ形式で記載したコピー設定ファイルを作成する（１００７）。そして、コピーデータ転送用アドレスに指定してあるサーバに、蓄積データとこのコピー設定ファイルをｆｔｐ送信する（１００８）。そして、送信ファイル受け取ったサーバは、画像形成装置専用アプリを用いてコピー設定ファイルを解析し、印刷パラメータとしてプリンタドライバを設定する（１００９）。なお、画像形成装置用アプリとは、例えばコピー時にサーバにｆｔｐ転送された画像データを、サーバにインストールされている画像形成装置のプリンタドライバ機能を使用して自動的に印刷を実行するアプリである。そして、サーバにおける画像形成装置用アプリは、プリンタドライバの印刷機能を使用して、ｆｔｐ転送された画像ファイルを画像形成装置に印刷情報として送信して印刷を行う（１０１０）。
【００４１】
＜第３の実施例＞
また、本発明では、上記の問題（現状の何も出力できない問題）に対応する上記第２の実施例に加え、ユーザの利便性を向上するため、第３の実施例として、第２の実施例の実施中に、コピーパラメータを画像形成装置のＬＣＤ上に表示し、コピーパラメータの変更を可能にしている。
【００４２】
メモリフル判定フローは、図７に示すように、上記第１の実施例と同様である。第２の実施例として、メモリフルが発生した場合（図７の（１）に進んだ場合）の処理例について図１１を参照して説明する。図１１のステップ１１０１から１１０６までは図１０のステップ１００１から１００６までは同じである。つまり、コピーデータ転送用アドレスを検索するまでは第２の実施例と同じである。
【００４３】
第３の実施例では、コピーデータ転送用アドレスを検索した後、コピーパラメータを画像形成装置のＬＣＤ上に再度表示する（１１０７）。これにより、表示されたコピーパラメータの設定値が正しいのかどうかの判断を促す（１１０８）。正しい場合（１１０８、ＮＯ）は、ＯＫボタン（コピー印刷開始ボタン）が押下される（１１１０）。一方、正しくない場合（１１０８、ＹＥＳ）は、パネル入力によりコピーパラメータの設定値が修正された（１１０９）後に、ＯＫボタン（コピー印刷開始ボタン）が押下される（１１１０）。
【００４４】
ＯＫボタン（コピー印刷開始ボタン）が押下された後のステップ１１１１から１１１４は第２の実施例おけるステップ１００７から１０１０と同じである。
【００４５】
＜第４の実施例＞
また、本発明では、上記の問題（現状の何も出力できない問題）に対応する上記第２の実施例に加え、ユーザの利便性を向上するため、第４の実施例として、第２の実施例の実施中に、画像が送信されるサーバのアドレスを画像形成装置のＬＣＤ上に表示し、この画像が送信されるサーバの変更を可能にしている。
【００４６】
メモリフル判定フローは、図７に示すように、上記第１の実施例と同様である。第２の実施例として、メモリフルが発生した場合（図７の（１）に進んだ場合）の処理例について図１２を参照して説明する。図１２のステップ１２０１から１２０６までは図１０のステップ１００１〜１００６までは同じである。つまり、コピーデータ転送用アドレスを検索するまでは第２の実施例と同じである。
【００４７】
第４の実施例では、コピーデータ転送用アドレスを検索した後、このコピーデータ転送用アドレスを画像形成装置のＬＣＤ上に再度表示する（１２０７）。これにより、表示されたコピーデータ転送用アドレスを変更するのかどうかの判断を促す（１２０８）。変更をしない場合（１２０８、ＮＯ）は、ＯＫボタン（コピー印刷開始ボタン）が押下される（１２１０）。一方、変更をする場合（１２０８、ＹＥＳ）は、パネル入力によりコピー転送用アドレスが変更された（１２０９）後に、ＯＫボタン（コピー印刷開始ボタン）が押下される（１２１０）。
【００４８】
ＯＫボタン（コピー印刷開始ボタン）が押下された後のステップ１２１１から１２１４は第２の実施例おけるステップ１００７から１０１０と同じである。
【００４９】
＜第５の実施例＞
また、本発明では、上記の問題（現状の何も出力できない問題）に対応する上記第２の実施例に加え、ユーザの利便性を向上するため、第５の実施例として、第２の実施例の実施中に、画像を送信されるサーバのアドレスとコピーパラメータの設定値を画像形成装置のＬＣＤ上に表示し、送信されるサーバの変更とコピーパラメータの設定値の変更を可能にし、さらに画像データのサーバ上での保存先設定を可能にする。
【００５０】
メモリフル判定フローは、図７に示すように、上記第１の実施例と同様である。第２の実施例として、メモリフルが発生した場合（図７の（１）に進んだ場合）の処理例について図１３を参照して説明する。図１３のステップ１３０１から１３０６までは図１０のステップ１００１〜１００６までは同じである。つまり、コピーデータ転送用アドレスを検索するまでは第２の実施例と同じである。
【００５１】
第５の実施例では、コピーデータ転送用アドレスを検索した後、このコピーデータ転送用アドレスを画像形成装置のＬＣＤ上に再度表示する（１３０７）。これにより、表示されたコピーデータ転送用アドレスを変更するのかどうかの判断を促す（１３０８）。変更をしない場合（１３０８、ＮＯ）は、ＯＫボタン（次ステップ開始ボタン）が押下される（１３１０）。一方、変更をする場合（１３０８、ＹＥＳ）は、パネル入力によりコピー転送用アドレスが変更された（１３０９）後に、ＯＫボタン（次ステップ開始ボタン）が押下される（１３１０）。
【００５２】
ＯＫボタン（次ステップ開始ボタン）が押下された後、コピーパラメータを画像形成装置のＬＣＤ上に再度表示する（１３１１）。これにより、表示されたコピーパラメータの設定値が正しいのかどうかの判断を促す（１３１２）。正しい場合（１３１２、ＮＯ）は、ＯＫボタン（コピー印刷開始ボタン）が押下される（１３１４）。一方、正しくない場合（１３１２、ＹＥＳ）は、パネル入力によりコピーパラメータの設定値が修正された（１３１３）後に、ＯＫボタン（コピー印刷開始ボタン）が押下される（１３１４）。
【００５３】
ＯＫボタン（コピー印刷開始ボタン）が押下された後のステップ１３１５から１３１８は第２の実施例におけるステップ１００７から１０１０と同じである。
【００５４】
ステップ１３１８で画像の印刷が行われた後、サーバ上のコピー画像を保存するためのフォルダをサーチする（１３１９）。このサーチされたフォルダに画像ファイルが保存される（１３２０）。この画像保存用のフォルダのフォルダ数、名称は、ユーザが任意に設定でき、ユーザが設定したフォルダに、コピー画像ファイルを保存できる。
【００５５】
なお、第５の実施例として、上述のように、コピーデータ転送用アドレス変更選択の後に、コピーパラメータ変更選択が行われるのでも、コピーパラメータ変更選択の後に、コピーデータ転送用アドレス変更選択が行われるのでも良い。または、コピーデータ転送用アドレス変更選択とコピーパラメータ変更選択を同時に行えるようにしても良い。
【００５６】
＜第６の実施例＞
また、本発明では、上記の問題（現状の何も出力できない問題）に対応する上記第５の実施例に加え、ユーザの利便性を向上するため、第６の実施例として、第５の実施例の実施中に、画像を保存するフォルダを画像形成装置のパネルにより設定可能にする。
【００５７】
具体的には、第５の実施例でコピー設定ファイルを作成した（図１３の１３１５）後に、あらかじめ画像形成装置に保存されている送信者情報のなかで、送信者を特定する情報である、送信者の氏名やニックネーム等を画像形成装置のパネル上に表示し、送信者情報の選択を促す。そして、選択された送信者情報が上記コピー設定ファイルに追加される。その後、第５の実施例のステップ１３１６から１３１８までが行われる。送信者情報には、送信者の氏名等の他に、送信者の設定した画像保存用フォルダについての情報も含まれており、ステップ１３１９の実施中に、この送信者の設定した画像保存用フォルダをサーチする。その後、ステップ１３２０の実施中に画像データがこの送信者の設定した画像保存用フォルダに保存される。
【００５８】
＜第７の実施例＞
また、本発明では、上記の問題（現状の何も出力できない問題）に対応する上記第５の実施例に加え、ユーザの利便性を向上するため、第７の実施例として、第５の実施例の実施中に、ＩＣカードから読み取った個人情報をもとに、画像を保存するフォルダを設定することを可能にする。
【００５９】
具体的には、既知のＩＣカードシステムを画像形成装置に組み込んでおき、第５の実施例でコピー設定ファイルを作成した（図１３の１３１５）後、画像形成装置でコピーを実施したユーザのＩＣカードの個人情報を、画像形成装置が読み取る。そして、読み取った個人情報をもとに、あらかじめ画像形成装置に保存されている送信者情報を選択する。そして、選択された送信者情報が上記コピー設定ファイルに追加される。その後、第５の実施例のステップ１３１６から１３１８までが行われる。送信者情報には、送信者の氏名等の他に、送信者の設定した画像保存用フォルダについての情報も含まれており、ステップ１３１９の実施中に、この送信者の設定した画像保存用フォルダをサーチする。その後、ステップ１３２０の実施中に画像データがこの送信者の設定した画像保存用フォルダに保存される。
【００６０】
＜第８の実施例＞
また、本発明では、上記の問題（現状の何も出力できない問題）に対応する上記第５の実施例に加え、ユーザの利便性を向上するため、第８の実施例として、第５の実施例の実施中に、ＩＣカードから読み取った個人情報、または、画像形成装置のパネル操作により選択された送信者情報をもとに、コピー終了後に画像を保存するかのかどうかを選択可能にし、保存がする際には、前記個人情報または、送信者情報により画像を保存するフォルダを設定することを可能にする。
【００６１】
具体的には、既知のＩＣカードシステムを画像形成装置に組み込んでおき、第５の実施例でコピー設定ファイルを作成した（図１３の１３１５）後、画像形成装置でコピーを実施したユーザのＩＣカードの個人情報を、画像形成装置が読み取る。そして、読み取った個人情報をもとに、コピーされた画像を印刷終了後に保存するかのどうかを選択する。または、画像パネル操作により、コピーされた画像を印刷終了後に保存するかのどうかを選択する。
この保存するかどうかの選択は上記コピー設定ファイルに追加される。次に、ＩＣカードから読み取った個人情報、もしくは、画像形成装置のパネル操作により、あらかじめ画像形成装置に保存されている送信者情報を選択する。そして、この選択された送信者情報が上記コピー設定ファイルに追加される。その後、第５の実施例のステップ１３１６から１３１８までが行われる。その後、もし、上記の画像保存に関する選択で保存をしないことが選択されていれば、ステップ１３１９、１３２０を行わず、画像データを消去し、終了する。もし、保存することが選択されていれば、ステップ１３１９の実施中に、送信者情報に含まれている画像保存用フォルダをサーチする。その後、ステップ１３２０の実施中に画像データがこの送信者の設定した画像保存用フォルダに保存される。
【００６２】
上述したように、本実施形態では、印刷前にメモリフルが発生し、印刷自体がキャンセルされて何も出力できない場合の第１の実施例として、メモリ蓄積データと、その後のスキャンデータを、画像ファイルとして、サーバにｆｔｐ転送するようにしている。このように構成することで、スキャンデータを中断せずに保存できるため、本実施形態によれば、メモリフルを解決するとともに、複数原稿を分割してスキャンデータを蓄積する手間を削減することが可能になる。
【００６３】
また、本実施形態では、印刷前にメモリフルが発生し、印刷自体がキャンセルされて何も出力できない場合の第２の実施例として、サーバにｆｔｐ転送された画像ファイルを自動で画像形成装置に印刷データとして送るようにしている。このように構成することで、印刷装置のメモリサイズに制限されないで目的の印刷物が得られ、自動にコピー出力が得られるため、本実施形態によれば、メモリフルを解決するとともに、スキャナからの蓄積原稿から、自動で（大型コピー機同等に）ソート等丁合いを行った印刷物を出力することが可能になる。
【００６４】
また、本実施形態では、印刷前にメモリフルが発生し、印刷自体がキャンセルされて何も出力できない場合の第３の実施例として、サーバにｆｔｐ転送された画データの印刷を実行する際に、画像出力装置のＬＣＤ表示上にコピー設定のパラメータを表示させ、入力値の変更を可能にしている。このように構成することで、コピーパラメータの入力ミスを防止しているため、本実施形態によれば、コピーを失敗して無駄なコピー出力を削減することが可能になる。
【００６５】
また、本実施形態では、印刷前にメモリフルが発生し、印刷自体がキャンセルされて何も出力できない場合の第４の実施例として、画像を送信するサーバの選択を画像形成装置のパネル設定から行うようにしている。このように構成することで、
サーバに送信し、送信画像データを一括で管理できるため、ユーザの利便性が向上する。
ことが可能になる。
【００６６】
また、本実施形態では、印刷前にメモリフルが発生し、印刷自体がキャンセルされて何も出力できない場合の第５の実施例として、サーバにｆｔｐ転送されたファイルを、サーバ内の固有（例：コピー転送画像）のフォルダを作成して保存するようにしている。このように構成することで、スキャンしたコピー画像をＰＣ上に保存して再出力が可能になるため、本実施形態によれば、同一画像を再度コピー出力する際に、原稿を再度読み取る必要がなく、ユーザの利便性が向上することが可能になる。
【００６７】
また、本実施形態では、印刷前にメモリフルが発生し、印刷自体がキャンセルされて何も出力できない場合の第６の実施例として、第５の実施例で送信された画像データをサーバに保存する際に、送信者情報を画像形成装置のパネル設定から設定し、ｆｔｐ転送されるＴＥＸＴファイル（設定値ファイル）に情報として付加するようにしている。このように構成することで、サーバにｆｔｐ転送する際に、送信者情報を付加することで、送信先のサーバ上に保存するフォルダを特定するため、本実施形態によれば、送信者ごとに保存フォルダを分けることで、送信画像データの秘匿性が向上して機密情報の管理を容易にしユーザの利便性が向上することが可能になる。
【００６８】
また、本実施形態では、印刷前にメモリフルが発生し、印刷自体がキャンセルされて何も出力できない場合の第７の実施例として、第５の実施例で設定する送信者情報を、ＩＣカードで自動認識するようにしている。このように構成することで、ＩＣカードで送信者を自動識別することができ、画像データの保存先指定の誤操作を防止できるため、本実施形態によれば、操作が単純になり、誤操作が防止されユーザの利便性が向上することが可能になる。
【００６９】
また、本実施形態では、印刷前にメモリフルが発生し、印刷自体がキャンセルされて何も出力できない場合の第８の実施例として、第５の実施例で送信された画像データを印刷制御実行後、フォルダに保存処理を行うか行わないかの情報を、画像形成装置のパネル設定から設定して、ｆｔｐ転送されるＴＥＸＴファイル（設定値ファイル）に情報として付加するようにしている。このように構成することで、サーバにｆｔｐ転送する際に、コピー印刷終了後のファイル処理情報を付加され、印刷後のファイル処理を自動で行えるため、本実施形態によれば、送信ごとに画像ファイルの保存／削除を設定することで、信画像データの秘匿性が向上して機密情報の管理を容易にしユーザの利便性が向上することが可能になる。
【００７０】
本実施形態における画像形成装置で実行されるプログラムは、実際のハードウエアを用いて具体的手段を実現する。すなわち、コンピュータ（ＣＰＵ）が所定の記録媒体からプログラムを読み出して実行することにより、上述したようなメモリフル判定や、スキャナ機能切り替え、蓄積画像データのｆｔｐ転送等の処理を行う。
【００７１】
本実施形態における画像形成装置で実行されるプログラムは、インターネット等のネットワークに接続されたコンピュータ上に格納され、ネットワーク経由でダウンロードさせることにより提供されるように構成しても良い。また、上記プログラムをインターネット等のネットワーク経由で提供あるいは配布するように構成しても良い。
【００７２】
また、上記プログラムは、インストール可能な形式、または、実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読取可能な記憶媒体に記憶されるように構成しても良い。また、上記プログラムは、ＲＯＭ等にあらかじめ組み込んで提供するように構成しても良い。
【００７３】
この場合、上記記憶媒体から読み出された、または、通信回路を通じてロードし実行されたプログラムコード自体が前述の実施形態の機能を実現することになる。そして、そのプログラムコードを記憶した記憶媒体は本発明を構成する。
【００７４】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００７５】
また、本発明における画像形成装置は、前記記憶容量超過の場合に、前記転送画像データとともに、コピー設定パラメータを記載したコピー設定ファイルを前記通信手段により前記情報処理装置にｆｔｐ転送し、前記印刷手段は、前記情報処理装置からの前記コピー設定パラメータに基づく前記転送画像データの印刷要求に応じて印刷を行うようにしても良い。
【００７６】
また、本発明における画像形成装置は、ユーザからの操作内容の入力を受けるとともに、前記操作内容や装置状態を表示する操作入力手段を有し、前記操作入力手段により前記コピー設定パラメータの変更が可能であるようにしても良い。
【００７７】
また、本発明における画像形成装置は、ユーザからの操作内容の入力を受けるとともに、前記操作内容や装置状態を表示する操作入力手段を有し、前記操作入力手段により、前記転送画像データと前記コピー設定ファイルを前記通信手段によりｆｔｐ転送する前記情報処理装置の選択が可能であるようにしても良い。
【００７８】
また、本発明における画像形成装置は、前記操作入力手段により、前記転送画像データと前記コピー設定ファイルを前記通信手段によりｆｔｐ転送する前記情報処理装置の選択が可能であること、前記印刷手段による印刷終了後に、前記転送画像データを前記情報処理装置上のデータ格納領域に保存するようにしても良い。
【００７９】
また、本発明における画像形成装置は、使用者情報を記憶する第２記憶手段を有し、前記操作入力手段により前記使用者情報の選択され、前記使用者情報により、前記操作入力手段により前記コピー設定パラメータの変更と、前記蓄積画像データと前記読取画像データと前記コピー設定ファイルをｆｔｐ転送する前記情報処理装置の選択と、前記情報処理装置上の前記データ格納領域の選択と、が可能であるようにしても良い。
【００８０】
また、本発明における画像形成装置は、ＩＣカードに保持された個人情報を読み取るＩＣカード読取手段を有し、前記ＩＣカード読取手段によりＩＣカードから読み取られた個人情報と前記操作入力手段とのいずれか一方により前記使用者情報が選択されるようにしても良い。
【００８１】
また、本発明における画像形成装置は、前記使用者情報により、前記印刷手段による印刷終了後に前記転送画像データを前記情報処理装置装置上の前記データ格納領域に保存するのかどうかの選択と、前記転送画像データを保存する場合には、前記転送画像データを保存する前記情報処理装置上の前記データ格納領域の選択と、が可能であるようにしても良い。
【符号の説明】
【００８２】
１０    ネットワークシステム
１２    画像形成装置
１４    情報処理装置
１６    ハブ
１８    ルータ
２０    広域ネットワーク
２２    ＰＯＰサーバ
２４    公衆電話網
２６    サーバ
２８    ローカルエリアネットワーク
３０    ＡＲＤＦ
３４    操作パネル
３６    スキャナ（Scanner）
３８    ＭＦＰコントローラ（MFP Controller）
４０    ストレージ管理部
４２    通信処理部
４４    イメージ変換部
４６    メーラ
４８    ＵＳＢ制御部
５２    プリンタエンジン（Printer Engine）
５４    ＰＳＵ
５６    ＳＤＲＡＭ
５８    ファックスモデム（FAXmodem）
６０    ネットワークインターフェースカード（NIC）
６２    ＵＳＢコネクタ
【先行技術文献】
【特許文献】
【００８３】
【特許文献１】特開平１１−１７０６３１号公報
【図１】
2010171720.tif 000003
【図２】
2010171720.tif 000004
【図３】
2010171720.tif 000005
【図４】
2010171720.tif 000006
【図５】
2010171720.tif 000007
【図６】
2010171720.tif 000008
【図７】
2010171720.tif 000009
【図８】
2010171720.tif 000010
【図９】
2010171720.tif 000011
【図１０】
2010171720.tif 000012
【図１１】
2010171720.tif 000013
【図１２】
2010171720.tif 000014
【図１３】
2010171720.tif 000015